(57)【特許請求の範囲】
【請求項１】
基礎部分にコンクリートを打ち残すことによって側壁がアンカーフレームに貼り付けたラスもしくはエキスパンドメタルとなる埋め込み孔を形成する工程と、  レベル調整ネジを装着するためのブラケットを予め鉄骨柱に取り付ける工程と、
鉄骨柱脚部を埋め込み孔の中に落とし込む以前に、鉄骨柱脚部の柱芯に合わせた形状の切欠き口を有し、かつ埋め込み孔の開口を覆う型板をアンカーフレームの天端にスミに合わせて溶接固定する工程と、
調整によって鉄骨柱の据え付け高さを調節でき、かつブラケットに装着したレベル調整ネジを外部に露出させ、鉄骨柱の脚部を埋め込み孔の中に落とし込む工程と、
柱脚部アンカーを使用することなく鉄骨建て方の本締め後に根固めコンクリートの打設のみで落とし込んだ鉄骨柱脚部と基礎部分とを一体化させる工程と
を含み、鉄骨柱脚部を埋め込み孔の中に落とし込む場合に該鉄骨柱脚部を切欠き口に貫通挿入させ、かつ型板の上面にレベル調整ネジを当てることを特徴とする鉄骨柱脚部落込み工法。
【発明の詳細な説明】
【０００１】
【発明の属する技術分野】
本発明は、基礎部分に形成させた埋め込み孔の中に鉄骨柱脚部を落とし込んで、鉄骨建て方後に根固めコンクリートを打設して基礎部分と一体化させる鉄骨柱脚部落込み工法に関する。
【０００２】
【従来の技術】
最近の設計のように、鉄骨柱脚部のベースプレートの位置が地中梁の成の中間に埋め込まれる場合には、鉄骨柱脚部分に箱入れをして、基礎コンクリートを一度に地中梁の天端まで打設した後に鉄骨建て方をし、鉄骨建て方の完了後に柱脚部の根固めコンクリートを打設する工法が普及している。
本工法では、箱抜き型枠を解体の困難なベニヤ型枠を使用せずに、柱主筋の外側に金網を貼ることで型枠代わりとしてコンクリート打ち止め用にすると共に基礎コンクリートと後から打設する根固めコンクリートとのボンド低下を防止している。
又、アンカーボルトは地中梁の天端の位置に合わせてあり、鉄骨の中間部にはアンカーボルトに対応させたはね出しブラケットを設けてある。鉄骨建て方は、鉄骨柱脚部の下部を地中梁に埋めながらブラケットをアンカーボルトで締着することで鉄骨を仮設する。
【０００３】
図１０、１１は、上記従来例を示す平面図及び断面図である。
地中梁２０の箱抜き２１は、柱主筋２２の外側にコンクリートを止めるための金網２３を貼り付けてあり、底部も金網受け力骨２４で支えられた金網２５でコンクリートを止めている。
地中梁２０の天端には箱抜き２１の周囲４個所にアンカー筋２６がセットしてあり、地中梁の梁筋２７も図示のように２段に配筋されている。
地中梁２０は、以下通常の施工方法でコンクリートを打設して構築するが、打設コンクリートは金網によって止められ図示のように箱抜き地中梁が完成する。
一方、鉄骨柱２８には、地中梁の基礎天端に対応する位置にはね出しブラケット２９をベースプレート３０と共に取り付けてあり、鉄骨建て方の際に上記アンカー筋２６と締着することで鉄骨柱２８を仮設するために用いる。
【０００４】
図示されていないが、鉄骨柱を図のように箱抜きに落とし込み、アンカー筋２６で仮設して第一節の建て方を本締めした後に、箱抜き部分に無収縮コンクリートを充填して根固めする。
以上のように、従来の工法は基礎のコンクリートを１度に打設でき、アンカーボルトのセットが基礎梁上端でできるので作業性が良く、さらに地中梁の完成後に鉄骨工事を行うので鉄骨建て方を安全にできる効果を持っている。
【０００５】
しかし、上記の従来工法は、箱抜きのために金網を柱主筋の外側に貼り付けているために現場での作業になって作業性が悪い点や鉄骨建て方にアンカーボルトを使用しているために鉄骨建て方作業の中で精度を必要とし手間のかかる点は改善されずに残っていた。
【０００６】
【発明が解決しようとする課題】
本発明は、従来工法の問題点を改善して地中梁の箱抜き、コンクリート打設が容易であり、柱の位置決めや現場でのレベル調整を容易にし、鉄骨建て方においてアンカーボルトに要していた手間を省いた鉄骨柱脚部落込み工法を提供しようとするものである。
【０００７】
【課題を解決するための手段】
本発明の請求項１に係る工法は、基礎部分にコンクリートを打ち残すことによって側壁がアンカーフレームに貼り付けたラスもしくはエキスパンドメタルとなる埋め込み孔を形成する工程と、レベル調整ネジを装着するためのブラケットを予め鉄骨柱に取り付ける工程と、鉄骨柱脚部を埋め込み孔の中に落とし込む以前に、鉄骨柱脚部の柱芯に合わせた形状の切欠き口を有し、かつ埋め込み孔の開口を覆う型板をアンカーフレームの天端にスミに合わせて溶接固定する工程と、調整によって鉄骨柱の据え付け高さを調節でき、かつブラケットに装着したレベル調整ネジを外部に露出させ、鉄骨柱の脚部を埋め込み孔の中に落とし込む工程と、柱脚部アンカーを使用することなく鉄骨建て方の本締め後に根固めコンクリートの打設のみで落とし込んだ鉄骨柱脚部と基礎部分とを一体化させる工程とを含み、鉄骨柱脚部を埋め込み孔の中に落とし込む場合に該鉄骨柱脚部を切欠き口に貫通挿入させ、かつ型板の上面にレベル調整ネジを当てることを特徴とする。
【０００８】
【発明の実施の形態】
図１，２は、本発明による鉄骨柱脚部落込み工法を説明するために、従来工法に対応させて図示した平面図及び断面図である。
本発明による鉄骨柱脚部落込み構造は、地中梁１の箱抜き２をするのに鉄骨柱脚部３と十分な間隙４を保ったアンカーフレーム５を使用している。アンカーフレーム５は、フレームの外側にコンクリートを止めるための金網６を貼り付けてあり、所定の脚部を残した底部も金網７で塞いでいる。
アンカーフレーム５の天端には、鉄骨柱脚部の柱芯に合わせた形状の切欠き口８とコンクリート打設用の開口９を設けた型板１０を溶接で固定してある。
地中梁の梁筋も図示のように２段に配筋されており、地中梁１の基礎１１は、従来と同様に通常の施工方法でコンクリートを打設して構築され、打設コンクリートは金網６，７によって止められて図示のように箱抜き２が形成されている。
【０００９】
一方、鉄骨柱１２には、地中梁の基礎天端に対応する位置にはね出しブラケット１３を取り付けてあり、ブラケット１３にはレベル調整ネジ１４が装着してある。
鉄骨柱１２は、図のように箱抜きに落とし込んでからレベル調整ネジ１４を微調整して鉄骨柱の姿勢を調整しておき、第一節の鉄骨建て方を終了して本締めした後に、箱抜き部分の底部に無収縮コンクリート１８及び地中梁と同強度のコンクリート１９をその上に充填して根固めしてある。
【００１０】
図３〜９は、本発明による鉄骨柱脚部落込み工法を順を追って説明するための施工図である。
図３は、箱抜き用のアンカーフレーム５の斜視図を示している。アンカーフレーム５は、４本のアングル１５を鉄骨柱脚部３と十分な間隙４を保てる間隔で４隅に配置し夫々の上端を同様のアングル１６で接続して骨格を形成している。アングルの外側にはラスもしくはエキスパンドメタル等の金網６を貼り付けてあり、鉄骨柱脚部の底端と十分な間隔を保つようにしたアンカーフレームの底部も金網７で塞いで形成される。
【００１１】
図４及び５は、上述のアンカーフレーム５を用いて地中梁１の基礎に箱抜き２を形成する状態を示す基礎の断面図と平面図である。
アンカーフレーム５は、基礎型枠を立て込む前の配筋時に鉄骨柱脚部の根入れ部に配置されてあり、型枠立て込みとコンクリート打設で図４のように箱抜き２が形成される。基礎の天端はアンカーフレームと面一に打設しておき、アングル１６の上面を露出させると同時に基礎の上面には図５に示すようにスミ出し１７をしておく。
【００１２】
図６は、基礎１１の平面図であり、アンカーフレーム５の天端に鉄骨柱脚部３の柱芯に合わせて５ｍｍ程度の間隙を保つ形状の切欠き口８とコンクリート打設用の開口９を設けた型板１０をスミ１７に合わせて溶接で固定してある。
図示した上記の切欠き口８とコンクリート打設用の開口９は、鉄骨柱脚部３の形状に合わせて設けているものであり、鉄骨柱脚部３の形状が例えばボックス型になった場合には、一辺にコンクリート打設用の開口９を有する４角形の切欠き口８を設けることになるという具合に多様性に富むことは何ら制限されるものでない。
図７は、鉄骨柱１２の加工状態を示している。鉄骨柱１２の柱側面には、地中梁の基礎天端に対応する位置にはね出しブラケット１３を取り付けてあり、ブラケット１３にはレベル調整ネジ１４を装着しておき、その調整によって鉄骨柱の据え付け高さを調節できるようにしてある。
レベル調整ネジ１４の調節は、建て方前に上記型板１０のレベルチェックをしておくことで“出”を調整しておくことが可能であり、現場での調整作業を最小にすることができる。
【００１３】
図８は、鉄骨建て方の状態を説明するための施工図である。
鉄骨建て方は、上記に説明したようにレベル調整ネジ１４の“出”を予め調整した鉄骨柱１２の鉄骨柱脚部３を基礎１１の箱抜き２に吊り込みで実施される。鉄骨柱１２の位置決めは、スミ出しセットされた型板１０の切欠き口８を貫通挿入させるだけで良いから、極めて簡単にできる。
その後、第１節の鉄骨梁の取り付けを行ない、鉄骨柱１２の建入れを型板１０の上面に当てたレベル調整ネジ１４の微調整によって行い、その完了後に柱、梁のボルトを本締めする。
【００１４】
図９は、ボルト本締め後の根固めコンクリートの打設状態を示している。
根固めコンクリートの打設は、先ず、ボルト本締め後にコンクリート打設用の開口９から無収縮コンクリート１８を鉄骨柱脚部３の下端に充填して行い、次いで、無収縮コンクリート１８の上に基礎の打設コンクリートと設計強度的に同程度のコンクリート強度を有する基礎用コンクリート１９を打設する。  打設される根固めコンクリートは、箱抜きのためのアンカーフレーム５が金網６であるために基礎１１との付着が確実に行われる。
なお、鉄骨柱１２の基礎１１への固定を根固めコンクリートの打設によって行うために、根固めコンクリートを無収縮コンクリート１８のみで打設するか、無収縮コンクリート１８の部分と基礎用コンクリート１９の部分とでどのような打設比率にするかは関連状況を勘案しながら決定することになる。
【００１５】
以上詳細に説明したように、本発明による鉄骨柱脚部落込み工法はアンカーボルトを使用していないので、従来工法のようにアンカーボルトのセットや台直し及びベースモルタルの施工等のように，鉄骨建て方作業の中で最も精度を要し、手間のかかる作業を排除できるものである。
【００１６】
【発明の効果】
本発明による工法は、基礎部分にコンクリートを打ち残すことによって側壁がアンカーフレームに貼り付けたラスもしくはエキスパンドメタルとなる埋め込み孔を形成する工程と、レベル調整ネジを装着するためのブラケットを予め鉄骨柱に取り付ける工程と、鉄骨柱脚部を埋め込み孔の中に落とし込む以前に、鉄骨柱脚部の柱芯に合わせた形状の切欠き口を有し、かつ埋め込み孔の開口を覆う型板をアンカーフレームの天端にスミに合わせて溶接固定する工程と、調整によって鉄骨柱の据え付け高さを調節でき、かつブラケットに装着したレベル調整ネジを外部に露出させ、鉄骨柱の脚部を埋め込み孔の中に落とし込む工程と、柱脚部アンカーを使用することなく鉄骨建て方の本締め後に根固めコンクリートの打設のみで落とし込んだ鉄骨柱脚部と基礎部分とを一体化させる工程とを含み、鉄骨柱脚部を埋め込み孔の中に落とし込む場合に該鉄骨柱脚部を切欠き口に貫通挿入させ、かつ型板の上面にレベル調整ネジを当てることを特徴とするものであるから、箱抜きと根固めコンクリートの打設が容易で、鉄骨柱の位置決めや調整作業が簡潔にでき、アンカーボルトに関する精度と手間のかかる作業を排除できる効果を奏する。
【図面の簡単な説明】
【図１】本発明による鉄骨柱脚部落込み構造の平面図
【図２】本発明による鉄骨柱脚部落込み構造の断面図
【図３】本発明によるアンカーフレームの斜視図
【図４】アンカーフレームで箱抜きした基礎の断面図
【図５】同基礎の平面図
【図６】本発明による型板の基礎への固定平面図
【図７】本発明による鉄骨柱の側面図
【図８】本発明による鉄骨柱脚部落込み断面図
【図９】本発明による鉄骨建て方のコンクリート根固めの断面図
【図１０】従来の鉄骨柱脚部落込み構造の平面図
【図１１】従来の鉄骨柱脚部落込み構造の断面図
【符号の説明】
１  地中梁
２  箱抜き
３  鉄骨柱脚部
５  アンカーフレーム
６  金網
８  切欠き口
９  コンクリート打設用開口
１０  型板
１１  基礎
１２  鉄骨
１３  はねだしブラケット
１４  レベル調整ネジ
１５、１６  アングル
１７  スミ出し
１８  無収縮コンクリート
１９  基礎と同強度のコンクリート
２０  地中梁
２１  箱抜き
２２  柱主筋
２３  金網
２６  アンカー筋
２７  地中梁筋
２８  鉄骨
２９  はね出しブラケット
３０  ベースプレート
【図１】
0003622472.tif 000002
【図２】
0003622472.tif 000003
【図３】
0003622472.tif 000004
【図４】
0003622472.tif 000005
【図５】
0003622472.tif 000006
【図６】
0003622472.tif 000007
【図７】
0003622472.tif 000008
【図８】
0003622472.tif 000009
【図９】
0003622472.tif 000010
【図１０】
0003622472.tif 000011
【図１１】
0003622472.tif 000012